(57)【特許請求の範囲】
【請求項１】
仕上がり外径の異なる複数の電力ケーブルからなり、仕上がり外径の小さい方の電力ケーブルに突起を有せしめ、その突起は巻き回されるラッシングワイヤに内接する形状にて全体をラッシングワイヤで一括してなる、ラッシングワイヤ付電力複合架空ケーブル。
【請求項２】
仕上がり外径の小さい電力ケーブルは、仕上がり外径の大きい電力ケーブルとメッセンジャーワイヤの間に設けられ、当該仕上がり外径の小さい電力ケーブルに有する突起は、メッセンジャーワイヤと仕上がり外径の大きい電力ケーブルとの間に巻き回されるラッシングワイヤに内接する形状である、請求項１記載のラッシングワイヤ付電力複合架空ケーブル。
【請求項３】
仕上がり外径の異なる複数の電力ケーブルからなり、仕上がり外径の大きい方の電力ケーブルに突起を有せしめ、その突起は仕上がり外径の小さい方の電力ケーブルに挟み込むように外接する形状にて全体をラッシングワイヤで一括してなる、ラッシングワイヤ付電力複合架空ケーブル。
【請求項４】
仕上がり外径の小さい電力ケーブルは、仕上がり外径の大きい電力ケーブルとメッセンジャーワイヤの間に設けられ、仕上がり外径の大きい電力ケーブルに有する突起は、仕上がり外径の小さい電力ケーブルに挟み込むように外接する形状である、請求項３記載のラッシングワイヤ付電力複合架空ケーブル。
【発明の詳細な説明】
【０００１】
【発明の属する技術分野】
本発明は、架空布設される電力ケーブルの技術分野に関し、特に、多回線に有用の仕上がり外径の異なる複数の電力ケーブルをラッシングワイヤで一括させたラッシングワイヤ付電力複合架空ケーブルの提供に関する。
【０００２】
【従来の技術】
架空布設するタイプのケーブルとしては、単心ケーブルの３条を撚り合わせたトリプレックスタイプのケーブルにラッシングワイヤを施したものや、３心ケーブルとメッセンジャーワイヤとをひょうたん形のシースで一括した３心ひょうたん形ケーブルがある。
【０００３】
【発明が解決しようとする課題】
前述した従来技術によるラッシングワイヤ付のトリプレックスタイプケーブルやひょうたん形の架空ケーブルは、全て１回線のみの対応であり、多回線用ではなかった。このため、多回線とする場合には、それぞれ別個の架空ケーブルとする必要があった。
【０００４】
そこで、本発明の解決すべき課題
（目的）は、多回線に用いられる仕上がり外径の異なる複数の電力ケーブルを複合した全く新しいタイプのラッシングワイヤ付電力複合架空ケーブルを提供することにある。
【０００５】
【課題を解決するための手段】
本発明により提供する第一手段としてのラッシングワイヤ付電力複合架空ケーブルは、仕上がり外径の異なる複数の電力ケーブルからなり、仕上がり外径の小さい方の電力ケーブルに突起を有せしめ、その突起は巻き回されるラッシングワイヤに内接する形状にて全体をラッシングワイヤで一括してなるものである。
【０００６】
仕上がり外径の小さい電力ケーブルを、そのままで仕上がり外径の大きい電力ケーブルに単に複合しラッシングワイヤで一括したとしても、当該仕上がり外径の小さい電力ケーブルはラッシングワイヤでのラッシングに与らず、電力複合架空ケーブルとして実用化できない。
【０００７】
そこで、この第一手段では、仕上がり外径の小さい電力ケーブルに突起を有せしめ、その突起は巻き回されるラッシングワイヤに内接する形状であるため、ラッシングワイヤでのラッシングを可能にし、以て、仕上がり外径の異なる複数のケーブル電力ケーブルを複合した架空ケーブルの実用化を図ったものである。
【０００８】
仕上がり外径の小さい電力ケーブルは、仕上がり外径の大きい電力ケーブルとメッセンジャーワイヤの間に設けられ、当該仕上がり外径の小さい電力ケーブルに有する突起は、メッセンジャーワイヤと仕上がり外径の大きい電力ケーブルとの間に巻き回されるラッシングワイヤに内接する形状であると良い。
【０００９】
本発明により提供する第二手段としてのラッシングワイヤ付電力複合架空ケーブルは、仕上がり外径の異なる複数の電力ケーブルからなり、仕上がり外径の大きい方の電力ケーブルに突起を有せしめ、その突起は仕上がり外径の小さい方の電力ケーブルに挟み込むように外接する形状にて全体をラッシングワイヤで一括してなるものである。
【００１０】
この第二手段では、仕上がり外径の大きい方の電力ケーブルに突起を有せしめ、その突起は仕上がり外径の小さい方の電力ケーブルに挟み込むように外接する形状であるため、仕上がり外径の小さい電力ケーブルを捕捉することにより全体をラッシング可能にし、以て、仕上がり外径の異なる複数の電力ケーブルを複合した架空ケーブルの実用化を図ったものである。
【００１１】
仕上がり外径の小さい電力ケーブルは、仕上がり外径の大きい電力ケーブルとメッセンジャーワイヤの間に設けられ、仕上がり外径の大きい電力ケーブルに有する突起は、仕上がり外径の小さい電力ケーブルに挟み込むように外接する形状であると良い。この挟み込み状態の外接は仕上がり外径の小さな電力ケーブルが移動（横滑り）しない程度で良い。
【００１５】
【発明の実施の形態】
図１は、本発明にかかるラッシングワイヤ付電力複合架空ケーブルの第一手段の実施例を示すもので、１がラッシングワイヤ、２がメッセンジャーワイヤ、３が仕上がり外径の小さい電力ケーブル；突起付電力ケーブル、４が仕上がり外径の大きい電力ケーブルである。
【００１６】
しかして、仕上がり外径の小さい電力ケーブル：突起付電力ケーブル３は、メッセンジャーワイヤ２と仕上がり外径の大きい電力ケーブル４との間に配し、そして、突起３ａを両外側に突出させて、メッセンジャーワイヤ２と仕上がり外径の大きい電力ケーブル４に巻き回されるラッシングワイヤ１に内接する形状つまりラッシングワイヤ１の斜めの部分に内接する斜めカットの形状に仕上げている。
【００１７】
上記のようにした突起付電力ケーブル３は、突起３ａにてラッシングワイヤ１に束縛され、仕上がり外径の大きい電力ケーブル４（及びメッセンジャーワイヤ２）と一括され、以て、多回線用のラッシングワイヤ付電力複合架空ケーブルとして実用的なものになる。
【００１８】
図２は、本発明にかかるラッシングワイヤ付電力複合架空ケーブルの第二手段の実施例を示したもので、１がラッシングワイヤ、２がメッセンジャーワイヤ、３′が仕上がり外径の小さい電力ケーブル、４′が仕上がり外径の大きい電力ケーブル；突起付電力ケーブルである。
【００１９】
しかして、仕上がり外径の小さい電力ケーブル３′は、メッセンジャーワイヤ２と仕上がり外径の大きい電力ケーブル４′との間に配する一方、仕上がり外径の大きい電力ケーブル４′には、図面上で上側に突起４ａ′を２つ一定間隔で形成し、これら突起４ａ′が仕上がり外径の小さい電力ケーブル３′に挟み込むように外接することにより、仕上がり外径の小さい電力ケーブル３′が仕上がり外径の大きい電力ケーブル４′上に横ずれしないように保留一体化させている。
【００２０】
上記のように仕上がり外径の小さい電力ケーブル３′は、仕上がり外径の大きい電力ケーブル４′上で束縛され、この状態でメッセンジャーワイヤ２とともにラッシングワイヤ１にて一括され、以て、多回線用のラッシングワイヤ付電力複合架空ケーブルとして実用的なものになる。
【００２１】
図３は、本発明にかかるラッシングワイヤ付電力複合架空ケーブルの第三手段の実施例を示したもので、１がラッシングワイヤ、２がメッセンジャーワイヤ、３″が仕上がり外径の小さい電力ケーブル、４″が仕上がり外径の大きい電力ケーブルである。
【００２２】
しかして、仕上がり外径の小さい電力ケーブル３″は、メッセンジャーワイヤ２と仕上がり外径の大きい電力ケーブル４″との間に配する一方、仕上がり外径の小さい電力ケーブル３″には、図面上で下側に凹部３ａ″を形成し、他方の仕上がり外径の大きい電力ケーブル４″には、図面上で上側に凸部４ａ″を形成し、そして、当該凹部３ａ″に凸部４ａ″を嵌入することにより、仕上がり外径の異なる電力ケーブル３″，４″間で凹凸結合が得られる状態にし、延いては、仕上がり外径の小さい電力ケーブル３″が仕上がり外径の大きい電力ケーブル４″上で保留一体化させるのである。
【００２３】
上記のように、仕上がり外径の小さい電力ケーブル３″は、仕上がり外径の大きい電力ケーブル４″上で束縛され、これにより横ずれしない状態で目線ジャーワイヤ２とともにラッシングワイヤ１にて一括され、以て、多回線用のラッシングワイヤ付電力複合架空ケーブルとして実用可能なものを提供する。
【００２４】
【発明の効果】
以上説明したような本発明によれば、多回線に用いられる仕上がり外径の異なる複数の電力ケーブルを複合した全く新しいタイプのラッシングワイヤ付電力複合架空ケーブルを提供するという所期の課題
（目的）を達成することができ、多回線において経済性のすぐれたものにできる。
【図面の簡単な説明】
【図１】本発明にかかるラッシングワイヤ付電力複合架空ケーブルの第一手段の実施例を示す横断面説明図。
【図２】本発明にかかるラッシングワイヤ付電力複合架空ケーブルの第二手段の実施例を示す横断面説明図。
【図３】本発明にかかるラッシングワイヤ付電力複合架空ケーブルの第三手段の実施例を示す横断面説明図。
【符号の説明】
１  ラッシングワイヤ
２  メッセンジャーワイヤ
３  仕上がり外径の小さい電力ケーブル；突起付電力ケーブル
３ａ  突起
３′  仕上がり外径の小さい電力ケーブル
４  仕上がり外径の大きい電力ケーブル
４′仕上がり外径の大きい電力ケーブル；突起付電力ケーブル
４ａ′  突起
３″  仕上がり外径の小さい電力ケーブル
３ａ″  凹部
４″  仕上がり外径の大きい電力ケーブル
４ａ″  突起
【図１】
0003577892.tif 000002
【図２】
0003577892.tif 000003
【図３】
0003577892.tif 000004